(57)【特許請求の範囲】
【請求項１】
後方視認カメラアセンブリであって、
内部にセンサレンズを有する鏡筒を含むレンズユニットと、
光センサユニットと、
を備え、
前記光センサユニットは、
光センサチップを上に実装させたプリント回路基板と、
前記プリント回路基板をその第１側で支持する後ハウジングと、
均一な厚みを有し、複数の段付き部分を規定し、前記後ハウジングに結合され、前記プリント回路基板をその第２側で少なくとも前記段付き部分で支持する前ハウジングと、
を含み、
前記前ハウジングは、レンズホルダを画定し、
前記鏡筒は、前記光センサチップと整列するように前記レンズホルダの内部に収容されており、
前記後ハウジングは、当該後ハウジング内で内方に延びて前記段付き部分と整列される複数のボスを含み、
前記後ハウジングは、少なくとも前記複数のボスで前記プリント回路基板を支持する、後方視認カメラアセンブリ。
【請求項２】
前記プリント回路基板は、それと結合され、前記光センサと電子通信する接続機構を含み、
前記接続機構は、前記後ハウジングを通って延在する、請求項１に記載の後方視認カメラアセンブリ。
【請求項３】
前記後ハウジング内に延在し、前記接続機構と結合するコネクタをさらに含む、請求項２に記載の後方視認カメラアセンブリ。
【請求項４】
前記前ハウジングは、金属材料であり、
前記プリント回路基板は、前記前ハウジングと電気的に接続される、請求項１〜３のいずれか１項に記載の後方視認カメラアセンブリ。
【請求項５】
前記前ハウジングは、その周辺部を画定する外側フランジを含み、
前記後ハウジングは、前記フランジが少なくとも部分的に当該後ハウジングと重なるように、前記周辺部内に収容される、請求項１〜４のいずれか１項に記載の後方視認カメラアセンブリ。
【請求項６】
複数のネジをさらに含み、
前記複数のネジの各々が、前記前ハウジングを通り、かつ前記プリント回路基板を通って延在し、前記後ハウジングと係合して、前記後ハウジングを前記前ハウジングに結合する、請求項１に記載の後方視認カメラアセンブリ。
【請求項７】
カメラアセンブリであって、
内部にセンサレンズを有する鏡筒を含むレンズユニットと、
光センサユニットと、
を備え、
前記光センサユニットは、
均一な厚みを有し、その側方部分からの第１の段付き領域と、前記第１の段付き領域からの第２の段付き領域と、を含む段付き形状を画定する前ハウジングと、
前記前ハウジングに結合された後ハウジングと、
光センサチップを上に実装させ、前記センサレンズと整列するように前記前ハウジングの前記第１の段付き領域内に少なくとも部分的に位置するプリント回路基板と、
を含み、
前記前ハウジングは、さらに前記第２の段付き領域内にレンズホルダを画定し、
前記後ハウジングは、当該後ハウジング内で内方に延びて前記第１の段付き領域と整列するボスを含み、
前記鏡筒は、前記レンズホルダ内に収容され、
前記プリント回路の一部が、前記後ハウジングの前記ボスと前記前ハウジングの前記第１の段付き領域の少なくとも対応する部分との間に収容されて支持される、カメラアセンブリ。
【請求項８】
前記前ハウジングは、金属材料のものであり、
前記プリント回路基板は、前記前ハウジングと電気的に接続される、請求項７に記載のカメラアセンブリ。
【請求項９】
前記前ハウジングは、その周辺部を画定する外側フランジを含み、
前記後ハウジングは、前記フランジが少なくとも部分的に当該後ハウジングと重なるように、前記周辺部内に収容される、請求項７または８に記載のカメラアセンブリ。
【請求項１０】
ネジをさらに含み、
前記ネジは、前記第１の段付き領域内で前記前ハウジングを通り、かつ前記プリント回路基板を通って延在し、前記後ハウジングの前記ボスと係合して、前記後ハウジングを前記前ハウジングに結合する、請求項７に記載のカメラアセンブリ。
【請求項１１】
車両の後方映像システムであって、
前記車両の内部のディスプレイと、
前記ディスプレイと通信し、前記車両とそれに対して後方に面した位置で結合されたカメラと、
を備え、
前記カメラは、
内部にセンサレンズを有する鏡筒と、
光センサチップを上に実装させたプリント回路基板と、
均一な厚みを有し、複数の段付き部分を規定する後ハウジングと、
前記プリント回路基板を内部に包囲するように前記後ハウジングと結合された前ハウジングと、
を含み、
前記前ハウジングは、均一な厚みを有し、前記光センサと整列した前記鏡筒を収容するレンズホルダと、前記後ハウジングの少なくとも一部と重なるように前記レンズホルダから対向して延在するフランジと、複数の段付き部分と、を画定し、
前記前ハウジングは、少なくとも当該前ハウジングの前記複数の段付き部分で前記プリント回路基板の第１側を支持し、前記後ハウジングの前記複数の段付き部分は、前記前ハウジングの前記複数の段付き部分と整列し、前記後ハウジングは、少なくとも当該後ハウジングの前記複数の段付き部分で前記プリント回路基板の第２側を支持する、車両の後方映像システム。
【請求項１２】
前記プリント回路基板は、それと結合され、前記光センサと電子通信する接続機構を含み、
前記接続機構は、前記後ハウジングを通って延在し、
当該システムが、前記後ハウジング内に延在して前記接続機構と結合するコネクタをさらに含む、請求項１１に記載のシステム。
【請求項１３】
前記前ハウジングは、金属材料からなり、
前記プリント回路基板は、前記前ハウジングと電気的に接続される、請求項１１または請求項１２のいずれか１項に記載のシステム。
【請求項１４】
前記カメラが、複数のネジをさらに含み、
前記複数のネジの各々が、前記後ハウジングを通り、かつ前記プリント回路基板を通って延在し、前記前ハウジングと係合して、前記後ハウジングを前記前ハウジングに結合する、請求項１１乃至１３のいずれか１項に記載のシステム。
【請求項１５】
前記後ハウジングは、前記前ハウジング及び前記後ハウジング内で前記プリント回路基板を包囲するように、少なくとも前記段付き部分の間に延びる段付きフランジを含む、請求項１乃至４及び６のいずれか１項に記載の後方視認カメラアセンブリ。
【請求項１６】
前記後ハウジングは、前記前ハウジング及び前記後ハウジング内で前記プリント回路基板を包囲するように、少なくとも前記第１の段付き領域の間に延びる段付きフランジを含む、請求項７、８及び１０のいずれか１項に記載の後方視認カメラアセンブリ。
【発明の詳細な説明】
【技術分野】
【０００１】
本開示は、概して、車両用後方カメラに関する。より詳細には、当該後方カメラは、レンズユニットと光センサユニットとを含む。
【背景技術】
【０００２】
車両用の様々な形態の後方映像システムは、車両の後方部の視界がディスプレイ上で車両の運転者に提示され得るように、車両の一部内に埋め込まれ後方に向けられたカメラを含む。車両の性質上、関連する車両の潜在的に過酷なあらゆる動きに対応することにも適するように、そのようなカメラが概して頑丈な構造であることが所望される場合がある。さらに、車両内にあり得るまたは車両に隣接し得るこのようなカメラの構成が、所望の動作を維持しながら、そこから発する潜在的な騒音または振動を最小限に抑えることが所望され得る。
【発明の概要】
【０００３】
本開示の１つの形態では、後方視認カメラアセンブリは、内部にセンサレンズを有する鏡筒を含むレンズユニットと、光センサユニットと、を含む。光センサは、光センサチップをその上に実装させたプリント回路基板と、当該プリント回路基板をその第１の側部で支持する後ハウジングと、当該後ハウジングと結合され前記プリント回路基板とその第２の側部で電気的に接続された前ハウジングと、を有する。前ハウジングはレンズホルダを画定し、鏡筒は光センサと整列するように後ハウジングのレンズホルダ内に収容される。
【０００４】
本開示の別の態様では、カメラアセンブリは、内部にセンサレンズを有する鏡筒を含むレンズユニットと、光センサユニットと、を含む。光センサユニットは、側方部分からの第１の段付き領域と、当該第１の段付き領域からの第２の段付き領域と、を含む段付き形状を画定する前ハウジングを有する。前ハウジングは、第２の段付き領域内にレンズホルダをさらに画定し、鏡筒はレンズホルダ内に収容される。前ハウジングは後ハウジングと結合される。光センサユニットは、センサレンズと整列するように前ハウジングの第２の段付き領域内に少なくとも部分的に配置された、光センサチップを上に実装したプリント回路基板をさらに有する。プリント回路の一部は、後ハウジングの対応する部分と、前ハウジングの第１の段付き領域の少なくとも対応する部分と、の間に収容される。
【０００５】
本開示のさらに別の態様では、車両後方映像システムは、車両の内部のディスプレイと、当該ディスプレイと通信し車両に対して後方に面した位置で当該車両に結合されたカメラと、を含む。カメラは、内部にセンサレンズを有する鏡筒と、光センサチップを実装したプリント回路基板と、後ハウジングと、当該後ハウジングと結合してプリント回路基板を包囲する前ハウジングと、を有する。前ハウジングは、光センサと整列した鏡筒を収容するレンズホルダと、前ハウジングの少なくとも一部と重なるようにレンズホルダから対向して延びるフランジとを画定する。
【０００６】
本発明のこれらの及び他の特徴、利点及び目的は、以下の明細書、特許請求の範囲及び添付の図面を参照することにより、当業者によって更に理解されかつ認識される。
【図面の簡単な説明】
【０００７】
【図１】本開示の一実施形態の後方カメラの正面斜視図である。
【０００８】
【図２】図１の後方カメラの上面図である。
【０００９】
【図３】図１の後方カメラの左側面図である。
【００１０】
【図４】図１の後方カメラの展開図（分解図）である。
【００１１】
【図５】図１の後方カメラを車両に実装するために使用されるカメラマウントの正面透視図である。
【００１２】
【図６】図５のカメラマウントを有する図１の後方カメラのアセンブリを示す展開図である。
【００１３】
【図７】図１のカメラを使用する後方映像システムを含む車両の概略図である。
【００１４】
【図８】本開示の別の実施形態による後方車両カメラアセンブリの後方斜視図である。
【００１５】
【図９】ブラケットを使用してそこに実装された図８の後方車両カメラアセンブリを有する、断面で示される、車両の一部分の後方斜視図である。
【００１６】
【図１０】図８の後方車両カメラアセンブリの上面図である。
【００１７】
【図１１】図８の後方車両カメラアセンブリの右側面図である。
【００１８】
【図１２】図８の後方車両カメラアセンブリの展開図である。
【００１９】
【図１３】車両内に組み立てられる、図９の実装ブラケットに対して展開して示される、図８の後方車両カメラアセンブリの部分的な前方底部透視図である。
【００２０】
【図１４】後方車両カメラアセンブリのさらなる実施形態の後方斜視図である。
【００２１】
【図１５】図１４の後方車両カメラアセンブリの上面図である。
【００２２】
【図１６】図１４の後方車両カメラアセンブリの右側面図である。
【００２３】
【図１７】図１４の後方車両カメラアセンブリの展開図である。
【００２４】
【図１８】別のブラケットを有する図１４の後方カメラアセンブリのさらなるアセンブリの展開図である。
【００２５】
【図１９】本開示の別の実施形態による後方車両カメラアセンブリの後方透視図である。
【００２６】
【図２０】図１９の後方車両カメラアセンブリの左側面図である。
【００２７】
【図２１】図１９の後方車両カメラアセンブリの上面図である。
【００２８】
【図２２】図１９の後方車両カメラアセンブリの背面図である。
【００２９】
【図２３】図１９の後方車両カメラアセンブリの展開図である。
【００３０】
【図２４】図１９の後方車両カメラアセンブリの断面図である。
【発明を実施するための形態】
【００３１】
本明細書における記述の目的のために、用語「上部の」、「下部の」、「右の」、「左の」、「後方の」、「前方の」、「垂直の」、「水平の」、およびそれについての派生語は、図１の向きの装置に関するものとする。しかしながら、それとは逆に明確に特定されたもの以外は、発明はさまざまな代わりの配向をとってもよい、と理解されるべきである。添付図面に図示され、かつ以下の明細書に記述された特定のデバイスおよびプロセスは、添付された特許請求の範囲において定義された発明概念の単なる例示的な実施形態であることも理解されるべきである。したがって、本明細書に開示された実施形態に関する特定の寸法および他の物理的特性は、特許請求の範囲が明示的に別段に述べない限り、限定するものと見なされるべきではない。
【００３２】
本文書において、第一および第二とか、上および下などといった関係を示す用語は、一つの実体または動作を別の実体または動作から区別するために使用され、かかる実体または動作間の何らかの実際のかかる関係または順序を必ずしも要求ないし暗示するものではない。「備える／含む（ｃｏｍｐｒｉｓｅｓ、ｃｏｍｐｒｉｓｉｎｇ）」という用語、またはそれらの任意の他の変形は、要素の一覧を備える／含むプロセス、方法、物品、または装置が、それらの要素のみを含むのではなく、明示的に列挙されていないか、あるいは、かかるプロセス、方法、物品、もしくは装置にとって本質的でない他の要素をも含み得るように、非排他的な包含を網羅することが意図されたものである。
【００３３】
図１に示すように、参照番号１０は、概して、後方視認カメラアセンブリを示す。後方視認カメラアセンブリ１０は、内部にセンサレンズ１６を有する鏡筒１４を含むレンズユニット１２を含む。アセンブリ１０はまた、光センサチップ２２を上に実装させたプリント回路基板２０（「ＰＣＢ」、図４）を含む光センサユニット１８を含む。光センサユニット１８はまた、それに結合された後シールド２６を有する後ハウジング２４を含み、後シールド２６は、プリント回路基板（「ＰＣＢ」）２０に電気的に接続される。光センサユニット１８はまた、後ハウジング２４に結合されプリント回路基板２０上に位置する前ハウジング２８を含む。前ハウジング２８は、センサレンズ１６を光センサチップ２２に整列するように、レンズユニット１２の鏡筒１４を収容するレンズホルダ３０を画定する。
【００３４】
図１〜図４を参照すると、後方視認カメラアセンブリ１０は、光センサユニット１８およびレンズユニット１２を含む。レンズユニット１２は、センサレンズ１６を内部に含む鏡筒１４を含む。光センサユニット１８は、低電圧（小振幅）差動信号（ＬＶＤＳ）コネクタ、同軸コネクタなどであり得て、光センサユニット１８の後ハウジング２４内に延びるコネクタ３２を含む。図４の展開図に示すように、後ハウジング２４は、プリント回路基板（ＰＣＢ）２０を支持する後シールド２６と動作可能に結合される。コネクタ３２の一部は、後シールド２６および後ハウジング２４の両方を貫通して延び、コネクタ３２と結合する。前ハウジング２８は、ＰＣＢ２０の上に配置される。鏡筒１４は、レンズホルダ３０と、接着剤を介して、あるいは、ネジなどによって、結合される。
【００３５】
図４に示すように、光センサユニット１８は、ＰＣＢ２０が組み立てられた前ハウジング２８および後ハウジング２４内に包囲されるように構成される。この配置は、光センサチップ２２を含むＰＣＢ２０の保護と、光センサチップ２２に対するレンズユニット１２の適切な位置決めと、例えば車両内でのカメラアセンブリ１０の適切な取り付けと、を可能にする。光センサチップ２２は、（レンズユニット１２によって）その上に投影された像をデジタル信号に変換することができる任意の既知の電子構成要素の形態であり得る。一例では、光センサチップ２２は、電荷結合ディスプレイ（「ＣＣＤ」）または相補型金属酸化膜半導体（「ＣＭＯＳ」）チップであり得る。したがって、ＰＣＢ２０は、光センサチップ２２に必要な電力を供給し、光センサチップ２２から画像情報または信号を読み出すために、光センサチップ２２との間に必要な接続を提供するように構成される。ＰＣＢ２０の正確な回路は図面には示されていないが、このような回路は、光センサチップ２２をコネクタ３２に接続することができる。コネクタ３２は、図示のように、ＰＣＢ２０に取り付けられるか、またはさもなければ、電気的に結合されることができる。このようにして、光センサチップ２２によって生成された画像データを、光センサチップ２２からＰＣＢ２０を介してコネクタ３２から読み出すことができる。光センサチップ２２からの生データを、例えばカメラアセンブリ１０のコネクタまたは他の電子構成要素等と互換性のある信号に変換するために、必要に応じて追加の回路を設けることができる。図示されているように、後シールド２６は、関連する低電圧差動信号（「ＬＶＤＳ」）コネクタの接続機構３８を通すことができる開口部３６を含むことができる。同様に、後ハウジング２４は、コネクタ３２のコネクタ部分３８の一部を収容することができる、レンズ１６の反対側に延在する収容部４０を含むことができ、また、コネクタ３２によってアダプタ３４、さらにはそれに接続された任意の構成要素に供給される信号の送信のため、コネクタ３２のコネクタ部分３８とのアダプタ３４の最適な係合を可能にすることができる。
【００３６】
図４に示すように、光センサユニット１８はまた、全体的に後シールド２６の反対側のＰＣＢ２０の全部または一部の上に延在することができる前シールド４２を含むことができる。図示されているように、このような前シールド４２は、少なくとも光センサチップ２２および前ＲＦシールド４２の下にあるＰＣＢ２０の面に露出されたコネクタ３２の任意の部分にわたって延在することができる。前シールド４２および後シールド２６の両方は、特に前ハウジング２８と後ハウジング２４がポリカーボネートなどのプラスチック材料からなる実施形態において、無線周波数（ＲＦ）や他の電子信号などの形態を含む干渉からの光センサチップ２２を含むＰＣＢ２０のシールドを提供することができる。いくつかの例では、例えば、関連する車両内のカメラアセンブリ１０の位置ならびにカメラアセンブリ１０に隣接する任意の構造体によって生成または放出される任意の電気信号に応じて、前シールド４２は必要でないことがある。光センサユニット１８内に含まれる場合、前シールド４２は、光センサチップ２２を覆う領域内に開口部３６を含むことができ、レンズユニット１２は、前シールド４２からの干渉なしに光センサチップ２２に画像を投影することができる。代替の実施形態では、後ハウジング２４および前ハウジング２８の両方を、アルミニウム、様々なアルミニウム合金、鋼、ステンレス鋼、マグネシウム合金などのような金属で作ることができる。このようなハウジング２４および２８は、鋳造、機械加工（または鋳造と機械加工の組合せ）、金属射出成形などによって作製することができる。このような実施形態では、後ハウジング２４および前ハウジング２８によってシールドが提供され、前シールド４２および後シールド２６を排除することができる。
【００３７】
図１〜図４に示すように、後ハウジング２４および前ハウジング２８は、光センサチップ２２ならびに後シールド２６および前シールド４２（含まれる場合）を含むＰＣＢ２０を完全に包囲するように相互に係合可能である。図示されるように、前ハウジング２８は、少なくともレンズホルダ３０の外側の領域において、一方向に段付き形状を有するほぼ均一なシート状または基板状構造であり得る。図示されているように、このような段付き形状は、前ハウジング２８が第１の段付き領域４６と第２の段付き領域域４８とを画定し、前ハウジング２８が各領域４６，４８内の距離を変化させることによって後シールドから離間されるようなものであり得る。図示されているように、第１の段付き領域４６内において、前ハウジング２８は、その内面が概してＰＣＢ２０の隣接する外側延在部分に接触するように配置され得る。これは、以下に説明するように、組み立てられた前ハウジング２８および後ハウジング２４内の所望の位置にＰＣＢを保持するのを助けることができる。さらに、第２の段付き領域４８内では、光センサユニット１８を内部に収納するように、前ハウジング２８が、概してＰＣＢ２０から離間して配置され、例えばカメラアセンブリ１０の突然の動き中に、前ハウジング２８が光センサチップ２２と接触しないようになっている。これにより、カメラアセンブリ１０の損傷を防止するのを助けている。ＰＣＢ２０から離れた第２の段付き領域４８内の前ハウジング２８の位置決めは、さらに、像の集束のための適切な距離で光センサチップ２２からレンズ１６を離間するのを助けることができる。
【００３８】
図１〜図４にさらに示すように、前ハウジング２８の段付き構造は、前ハウジング２８がその上部周辺部５４と下部周辺部５６の両方内に第１のへこみ段５０と第２のへこみ段５２とを画定するようなものである。したがって、後ハウジング２４は、前ハウジング２８の上部周辺部５４および下部周辺部５６に沿って丁重に係合するように構成された上部および下部コンプライアンスフランジ５８を含むことができる。このようにして、コンプライアンスフランジ５８は、前ハウジング２８の対応する上部周辺部５４および下部周辺部５６の第１の段付き領域４６および第２の段付き領域４８内に延在するように、対応する第１の段６０および第２の段６２を含むことができる。このような構造は、上述したように、後ハウジング２４および前ハウジング２８が相互に係合して、少なくともＰＣＢ２０をほぼ完全に包囲することを可能にする。
【００３９】
図４に示すように、前ハウジング２８と後ハウジング２４の両方は、前ハウジング２８と後ハウジング２４との結合のための留め具を収容するための、穴６４、６６の対応する組を含むことができる。図示のように、このような留め具は、相互に係合するボルト６８およびバレルナット７０を含み、バレルナット７０が、後ハウジング２４の穴６６内に収容され得、ボルト６８が、バレルナット７０にネジ係合するように前ハウジング２８の貫通穴６４と係合可能である。さらに示されるように、ＰＣＢ２０は、穴６４および６６の両方と整列する対応する複数の穴７２を含むことができる。このような穴７２の存在は、ボルト６８が穴７２を含むＰＣＢの部分の上にある領域においてバレルナット７０と係合できるように、ＰＣＢ２０が第１の段付き領域４６内で前ハウジング２８と後ハウジング２４との間に延在することを可能にする。このような構造は、ＰＣＢ２０を組み立てられた前ハウジング２８および後ハウジング２４内の所定の位置に確実に保持するために、ボルト６８の締め付けによって前ハウジング２８をＰＣＢ２０に係合させることができる。あるいは、後ハウジング２４は、ボルト６８をネジ込み可能に収容するためのネジ穴を含むことができる。同様に、後シールド２６は、穴６４、６６、および７２をそれぞれさらに整列させる追加の一組の穴７４を含むことができる。このような穴７４は、さらに、後シールド２６をＰＣＢ２０と後ハウジング２４の隣接部分との間に捕捉することを可能にし、ボルト６８をバレルナット７０に締め付けることが、後シールド２６を所望の位置に保持するのを助ける。このような係合は、カメラアセンブリ１０内の構成要素（すなわち、ＰＣＢ２０および後シールド２６）のがたつきを防止するのに役立ち、そのような構成要素の損傷を防止することができる。
【００４０】
引き続き図４を参照すると、後シールド２６は、後ハウジング２４と組み立てられたときに前ハウジング２８にほぼ隣接して位置することができる複数のコンプライアンスアーム７６を、その一部に含むことができる。後シールド２６は、ＰＣＢ２０の周囲で、及び／または、ＰＣＢ２０から離れて、電磁放射を短絡（ｓｈｕｎｔ）するのを助けるように、金属材料からなることができる。コンプライアンスアーム７６は、複数のバネ状の機構を設けることによって、そのような金属材料の全体的に弾力性のある性質を利用することができる。これにより、後シールド２６が、前ハウジング２８に係合するときにそれらが位置することができる第２の段付き領域４８に対して全体的にサイズを大きくすることが可能になる。このように、前ハウジング２８が後ハウジング２４上に組み立てられるとき、コンプライアンスアーム７６は、例えば前ハウジング２８と後ハウジング２４との間の公差の積み重ねによって変化し得る量だけ、たわみや圧縮などによる変形を引き起こされ得る。このような圧縮により、後シールド２６は、後ハウジング２４と前ハウジング２８との両方の間に圧縮可能に係合して、材料公差にかかわらず、それらの間に概ね緊密な嵌合を形成することができる。これは、前ハウジング２８または後ハウジング２４のいずれかに対する後シールド２６のがたつきの可能性をさらに低減することができ、さらに、前ハウジング２８と後ハウジング２４との間のより確実な嵌合を作り出し、潜在的にそれらの間にあるがたつきや他の不利な状況を低減することができる。
【００４１】
図５を参照すると、カメラアセンブリ１０を使用のため車両に実装することができるような構造の一例として、車両のためのセンターハイマウントストップランプ７８が示されている。図示の例では、ストップランプ７８は、車両の照明システムに動作可能に結合され、当該ストップランプ７８のハウジング８６の第１の部分８４に関連付けられている第１の光源８０を有する。第２の光源８２は、車両の制動システムに動作可能に結合され、ハウジング８６の第２の部分８８に関連付けられている。ハウジング８６は、少なくとも部分的に透明であり、視認開口部９０を画定する。カメラアセンブリ１０は、視認開口部９０の後ろに配置され、レンズカバー９２と共に組み立てられている。レンズカバー９２は、少なくとも部分的に透明なハウジング８６の外面９６とほぼ面一の外面９４を含む。レンズガスケット９８は、レンズカバー９２と視認開口部９０との間に配置され、例えば水が侵入するのを一般に防止するように、それらの間に緊密なシールを画定するのを助ける。
【００４２】
図６に示すように、ハウジング８６は、カメラアセンブリ１０を収容するように構成される。特に、ハウジング８６は、上述したように、レンズカバー９２の外面９４がハウジング８６の外面９６に対して面一位置に保持されるような位置にカメラアセンブリ１０を保持するための１つ以上の内部機構または構造を含むことができる。このような内部構造の例は、本出願人に譲渡された同時係属中の「ＣＡＭＥＲＡ  ＭＯＵＮＴ」と題する２０１４年１２月３１日出願の米国仮特許出願第６２／０９８，８５６号に記載されており、その全開示内容が当該参照により本明細書に組み込まれる。カメラアセンブリ１０は、これに限定されないが、バンパー、後デッキ蓋、様々なトリム部品などを含む、車両２の他の構造の中に、そして一般的にその後部に、同様に実装され得る。このような実装は、図５および図６の例示的なストップランプ７８に関連して実施されるのと同様の方法で達成され得る。
【００４３】
図７に示すように、車両２は、後方カメラ１０が内部に実装された図５および図６のストップランプ７８を含むことができる。カメラ１０は、接続線６などによってカメラ１０と電子的に通信するビデオディスプレイ４を内部に含む車両２の後方映像システムの一部とすることができる。他の例では、カメラ１０を、ディスプレイ４ａまたは４ｂに接続された車両２のマルチメディアシステムに接続することができる。図７に示す例では、ディスプレイ４ａは、多くの異なる形態をとり、車両２内の様々な位置に配置され得るダッシュボード実装ディスプレイである。他の図示された例では、ディスプレイ４ｂは、フルディスプレイミラーなどのディスプレイを備えた後方視認ミラーの形態であってもよい。図示された車両２は一例として意図されており、そのさらなる例は、ディスプレイ４ａおよび４ｂのうちの１つだけを含むことができる。
【００４４】
図８に示すように、参照番号１１０は、概して、後方カメラアセンブリの第２の実施形態を示す。後方視認カメラアセンブリ１１０は、内部にセンサレンズ１１６を有する鏡筒１１４を有するレンズユニット１１２を含む。アセンブリ１１０は、光センサチップ１２２をその上に実装させたプリント回路基板１２０（図１２）を有する光センサユニット１１８をさらに含む。後ハウジング１２４は、当該後ハウジング１２４の両側で外側に横方向に延在する第１および第２の結合フランジ１２６を画定する。前ハウジング１２８が、プリント回路基板１２０上の後ハウジング１２４と結合される。前ハウジング１２８は、レンズユニット収容部１３０を画定し、鏡筒１４は、光センサ２２と整列するように、レンズユニット収容部３０内に収容される。
【００４５】
図９に示すように、カメラアセンブリ１１０を、ブラケット１３３との結合、およびブラケット１３３内の少なくとも部分的な結合によって、車両１３６内に実装することができる。ブラケット１３３は、カメラ１１０を収容し、車両１３６の後方の領域の画像を得るための適切な位置にカメラ１１０を保持するように構成することができる。そのような画像は、典型的な後方視認ミラー（図７のディスプレイ４ｂなど）の一般的な位置に車両１３６内に配置された典型的な後方視認ミラーの代わりに、フルディスプレイ後方視認ミラーまたは後方視認ミラー形状のディスプレイ上に表示可能である。ブラケット１３３の特定の形態は、それが使用される車両１３６に応じて変化し得るが、一般に、さらに以下で説明するように、その上部付近で車両１３６の後方風防ガラス１３９と結合するように成形され得る。これにより、一般に、含まれるフルディスプレイミラーの高さに近似する。
【００４６】
図１０〜図１２を参照すると、後方視認カメラアセンブリ１１０は、光センサユニット１１８と、レンズユニット１１２とを含む。レンズユニット１１２は、内部にセンサレンズ１１６を含む鏡筒１１４を含む。光センサユニット１１８は、例えば、光センサユニット１１８の後ハウジング１２４内に延在するコネクタ（図示せず）を含むことができ、その端部のアダプタ１３４との接続によって、図２に示されるケーブル１３８のような適切な信号伝送ケーブルとの外部接続を可能にする接続機構を含むことができる。コネクタおよびケーブル１３８の両方は、低電圧差動信号方式（「ＬＶＤＳ」）、同軸方式などのデジタルを含む、ビデオ信号の伝送に適した任意のタイプとすることができる。前ハウジング１２８は、後ハウジング１２４の反対側のＰＣＢ１２０の上に位置する。一例では、後ハウジング１２４または前ハウジング１２８の一方または両方は、プラスチック材料からなり、その内部の全部または一部に沿って薄い金属要素の形態であり得る高周波（「ＲＦ」）シールドと連携してもよい。別の例では、後ハウジング１２４および前ハウジング１２８のいずれかは、アルミニウム、ステンレス鋼などのような金属材料からなることができる。さらなる例では、後ハウジング１２４はプラスチック材料であってもよく（それと共に組み立てられたＲＦシールドを有してもよい）、前ハウジング１２８は金属製であってもよい。鏡筒１１４は、レンズユニット収容部１３０に、接着剤を介して、または、ネジ止め、止めネジなどによって、結合されてもよい。
【００４７】
図１２に示すように、光センサユニット１８は、ＰＣＢ１２０が組み立てられた前ハウジング１２８および後ハウジング１２４内に包囲されるように構成される。この配置は、上記のように、さらに、図９に関して以下に説明するように、光センサチップ１２２を含むＰＣＢ１２０の保護と、光センサチップ１２２に対するレンズユニット１１２の適切な位置決めと、例えば車両１３６内のカメラアセンブリ１１０の適切な実装と、を可能にする。光センサチップ１２２は、（レンズユニット１１２によって）その上に投影された画像をデジタル信号に変換することができる任意の既知の電子構成要素の形態であり得る。一例では、光センサチップ１２２は、電荷結合ディスプレイ（「ＣＣＤ」）または相補型金属酸化膜半導体（「ＣＭＯＳ」）チップであり得る。したがって、ＰＣＢ１２０は、光センサチップ１２２に必要な電力を供給し、光センサチップ１２２から画像情報または信号を読み出すために、光センサチップ１２２との間に必要な接続を提供するように構成される。
【００４８】
ＰＣＢ１２０の正確な回路は図には示されていないが、このような回路は、光センサチップ１２２を、ＰＣＢ１２０に実装することができるかまたはＰＣＢ１２０に電気的に結合することができるコネクタ（図示せず）に接続することができる。このようにして、光センサチップ１２２によって生成された画像データは、光センサチップ１２２からＰＣＢ１２０を介して、関連するコネクタから読み出されることができる。光センサチップ１２２からの生データを、例えばカメラアセンブリ１１０のコネクタまたは他の電子構成要素などと互換性のある信号に変換するために、必要に応じて追加の回路を設けることができる。同様に、後ハウジング１２４は、コネクタの一部を収容することができ、アダプタ１３４、さらにそれに接続された任意のコンポーネントにコネクタによって供給される信号の伝送のため、アダプタ１３４がコネクタのコネクタ部分と最適に係合することを可能にする、レンズ１１６の反対側に延在する収容部１４０を含むことができる。
【００４９】
図１〜図４に示すように、後ハウジング１２４および前ハウジング１２８は、光センサチップ１２２を含むＰＣＢ１２０と、含まれ得る任意のＲＦシールドと、を完全に包囲するように相互に係合可能であり得る。図示されているように、前ハウジング１２８は、少なくともレンズユニット収容部１３０の外側の領域において、一方向に段付き形状を有するほぼ均一なシート状または基板状の構造とすることができる。図示されているように、このような段付き形状は、前ハウジング１２８が第１の段付き領域１４２と第２の段付き領域１４４とを画定し、前ハウジング１２８が各領域１４２、１４４内の距離を変化させることによってＰＣＢ１２０から離間されるようなものであり得る。図示されているように、第１の段付き領域１４２内で、前ハウジング１２８は、後述するように、組み立てられた前ハウジング１２８および後ハウジング１２４内の所望の位置にＰＣＢ１２０を保持するのを助けることができるようにＰＣＢ１２０の隣接部分にほぼ接触するように位置させることができる。さらに、第２の段付き領域１４４内で、前ハウジング１２８は、その中に光センサチップ１２２を収納するように間隔をあけてＰＣＢ１２０から概して離れて配置され、前ハウジング１２８が、例えば、カメラアセンブリ１１０の突然の動きの間に、光センサチップ１２２と接触せず、それによりカメラアセンブリ１１０の損傷を防止するのを助ける。
【００５０】
さらに、ＰＣＢ２０から離れた第２の段付き領域１４４内の前ハウジング１２８の位置決めは、その上に画像を集束させるのに適切な距離で光センサチップ１２２からレンズ１１６を離間することを助けることができる。前ハウジング１２８は、ステンレス鋼、アルミニウムなどを含む金属、または熱膨張係数（「ＣＴＥ」）が低いいくつかのプラスチックを含む他の材料であり得、温度変化中にカメラアセンブリ１１０に影響するレンズユニット１１２の任意の動きが最小化され得る。このような材料が利用される場合、前ハウジング１２８は、スタンプ、引抜き、押し出し、射出成形などによって、接着剤、はんだ、溶接、機械的留め具などによりそこに結合される同一のまたは異なる材料の分離部品であるレンズユニット収容部１３０と共に、形成され得る。
【００５１】
さらに、図８〜図１２に示すように、前ハウジング１２８の段付き構造は、前ハウジング１２８がその上部周辺部１５０と下部周辺部１５２の両方に第１のへこみ段１４６と第２のへこみ段１４８を画定するようなものである。したがって、後ハウジング１２４は、前ハウジング１２８の上部周辺部１５０および下部周辺部１５２に沿って丁重に係合するように構成されたコンプライアンスフランジ１５３を含むことができる。このように、コンプライアンスフランジ１５３は、前ハウジング１２８の対応する上部周辺部１５０および下部周辺部１５２の第１の段付き領域１４２および第２の段付き領域１４４内に延在するように、対応する第１の段１５４および第２の段１５６を含むことができる。このような構造は、上述したように、少なくともＰＣＢ１２０を完全に包囲するように、後ハウジング１２４および前ハウジング１２８が相互に係合することを可能にする。
【００５２】
図１２に示すように、前ハウジング１２８と後ハウジング１２４の両方は、前ハウジング１２８と後ハウジング１２４とを結合するためにそれらを貫通する留め具１５９を収容する、対応する穴１５８、１６０のセットを含むことができる。このような留め具１５９は、穴１５８に通して穴１６０とネジ係合し得るか、または、相互に係合するボルトおよびバレルナットを含むことができ、このようなバレルナットは、後ハウジング１２４の穴１６０内に収容され得、このようなボルトは、バレルナットとネジ係合するように前ハウジング１２８内の貫通穴１５８と係合可能である。さらに示されるように、ＰＣＢ１２０は、穴１５８および１６０の両方と整列する対応する複数の穴１６２を含むことができる。このような穴１６２の存在は、留め具１５９が穴１６２を含むＰＣＢ１２０の部分の上にある領域内で穴１６０と係合できるように、ＰＣＢ１２０が第１の段付き領域１４２内で前ハウジング１２８と後ハウジング１２４との間に延在することを可能にする。このような構造は、組み立てられた前ハウジング１２８および後ハウジング１２４内の位置に確実にＰＣＢ１２を保持するように、特にＰＣＢ１２０が後ハウジング１２４内で内方に延びて穴１６０が貫通しているボス１６３上で支持されるように、留め具１５９の締め付けによって前ハウジング１２８をＰＣＢ１２０と係合することを可能にすることができる。そのような係合は、カメラアセンブリ１１０内の構成要素（すなわち、ＰＣＢ１２０）のがたつきを防止するのに役立ち、そのような構成要素の損傷を防ぐことができる。
【００５３】
図９および図１３を参照すると、車両１３６内のカメラアセンブリ１１０の結合は、車両１３６の後方風防ガラス１３４に結合されたブラケット１３３とカメラアセンブリ１１０の結合によって達成されるものとして示されている。図示されているように、ブラケット１３３は、両面テープ、接着剤などを含む様々な接着剤などによって、車両１３６の後方風防ガラス１３９と結合するように構成された後方面１６４を含むことができる。一般的な外形およびその位置決め（すなわち、その角度）の両方を含む表面１６４の特定の形状は、後方風防ガラス１３４の角度および形状を含む、カメラアセンブリ１１０が組み立てられることを意図される車両１３６の特定の構成に依存することができる。図示されているように、ブラケット１３３は、その中に配置可能な少なくともレンズユニット１１２のようなカメラアセンブリ１１０をその中に少なくとも部分的に収容する大きさの内部キャビティ１６６を含む。ブラケット１３３は、例えばレンズユニット１１２に含まれる特定のレンズ１１６に依存し得る所望の視野１７０を少なくとも提供するような大きさの表面１６４上の開口部１６８をさらに含む。したがって、キャビティ１６６は、ブラケット１３３を介して所望の視野１７０をさらに達成できるように、開口部１６８のサイズと相関するようにさらに構成することができる。一例では、キャビティ１６６は、視野１７０によって達成される角度に少なくとも近似するように、開口部１６８に向かって外向きにテーパ状にすることができる。別の例では、キャビティ１６６は、視野１７０に対して、それと干渉しないように、一般に大きめであってもよい。
【００５４】
図１３に示すように、ブラケット１３３は、キャビティ１６６と連通する受容部１７２を画定することができ、キャビティ１６６は、図示されるように、後ハウジング１２４の外周辺部１７４を第１の段付き領域１４２の領域内にレンズユニット収容部１３０と共に含み得る。カメラアセンブリ１１０のさらなる部分を収容するようにサイズ決めすることができる。このようにして、外側フランジ１２６を含むカメラアセンブリ１１０の残りの部分は、キャビティ１６６の外側の領域において、ブラケット１３３に沿って外側に延在することができる。後ハウジング１２４は、ブラケット１３３の穴１７８と整列する、フランジ１２６を貫く対応するコネクタ穴１７６を含むことができ、穴１７６を介して対応する実装ネジ１８０を受け入れることができ、貫通穴１７８とネジ係合してカメラアセンブリ１１０をブラケット１３３に結合する。このような結合は、レンズ１１６がキャビティ１６６内に適切に位置され、視野１７０が車両１３６に対して狙った通り所望されるように配向される、というような方法で達成される。
【００５５】
レンズ１１６の開口部１６８との所望の整列をさらに達成するために、ブラケット１３３は、フランジ１２６の領域内に延在しフランジ１２６上に画定された対応するロケータ開口部１８４と係合するロケータペグ１８２を含むことができる。このようにして、前述したように、カメラアセンブリ１１０をブラケット１３３に実装ネジ１８０を用いて結合する前に、受容部１７２内の外周辺部１７４とロケータ開口部１８４内のロケータペグ１８２とを位置決めすることにより、カメラアセンブリ１１０をブラケット１３３と適切に整列させることができる。このような配置は、カメラアセンブリ１１０の適切な位置合わせを提供するために、実装ネジ１８０、特にそのコネクタ穴１７６との嵌合、の必要性を取り除くことができる。当該適切な位置合わせは、実装ネジ１８０に対して一般に大きめのコネクタ穴１７６に必要とされる許容差により、困難であり得る。さらに、ロケータペグ１８２は、ブラケット１３３に対するカメラアセンブリ１１０の位置決めが、車両１３６が動いている間、振動の影響を受けにくいように、ロケータ開口部１８４とわずかな圧入係合を形成するように構成され得る。さらに、このような構成は、温度の変化、特に後方風防ガラス１３４を通ってブラケット１３３に伝導され得る車両１３６の外部温度の変化、によるブラケット１３３の膨張および収縮に対する補償を提供することができる。後ハウジング１２４のバリエーションは、フランジ１２６の異なる数、位置、および構成を含むことができ、ブラケット１３３は、本明細書に記載の原理に従ってカメラアセンブリ１１０を結合するためのフランジ１２６の特定の構成に適応するように修正される。このようにして、カメラアセンブリ１１０は、図７のシステム２またはその他のバリエーションと同様のシステムで使用することができる。
【００５６】
図１４〜図１８に示すように、カメラアセンブリ２１０のさらなる実施形態は、図１〜図１３に関して上述したカメラアセンブリ１０および１１０と概ね同様であり得る。特に、カメラアセンブリ２１０は、後ハウジング２２４と、これに結合可能でありその中にＰＣＢ２２０を収容するように構成された前ハウジング２２８と、を含む。さらに、レンズホルダ２３０が、レンズ２１６が画像を投影するために光センサ２２２に対して適切に位置決めされるように、鏡筒２１４およびレンズ２１６を含むレンズユニット２１２を保持するように構成され得る。さらに、後ハウジング２２４は、カメラアセンブリ２１０がデータケーブル（図示せず、図１３に示すデータケーブル１３８と同様）と接続できるように、アダプタ２３９を収容するためのアダプタ収容部２４０を含むことができる。１００だけ増加する図８〜図１３のものと同様の番号の使用によって識別される他の類似の特徴が含まれてもよく、他の記載がない限り、上記の説明とほぼ同様である。
【００５７】
上述したように、前ハウジング２２８は、第１の段付き領域２４２および第２の段付き領域２４４を含む段付き構造を画定するように形成された、ステンレス鋼、プラスチックなどを含む、ほぼ均一なシート状材料からなり得、レンズユニット収容部２３０は、第２の段付き領域２４４内から延在する。前ハウジング２２８は、図１２に関して上述した後ハウジング２２４に対して前ハウジング２２８を結合するのと同様の方法で、後ハウジング２２４に結合することができる。図１７に示すように、後ハウジング２２４は、前ハウジング２２８と組み立てられたときに全体的に離れて配置され、さらに、（図１２に関して上述した後ハウジング１２４のように）へこみ段を含まない、コンプライアンスフランジ２５３を含むことができる。このような構成は、カメラアセンブリ２１０に含まれ得る後カバー２８６の一部を収納するために使用され得る。前ハウジング２２８は、前ハウジング２２８が、後ハウジング２２４のネジ孔（図示せず）と係合可能なネジ（図示せず）を使用して、後ハウジング２２４と図８〜図１３の実施形態に関して上述したものと同様の方法で結合することができるように、穴、（図示されず）を含むことができる。
【００５８】
図１４〜図１７に示すように、後カバー２８６は、後ハウジング２２４に対向する前ハウジング２２８を全体的に覆い、少なくとも部分的に包囲するように構成することができる。したがって、後カバー２８６は、前ハウジング２２８内の段付き領域２４２および２４４に概ね対応する複数の段付き領域２５４および２５６を有することができる。さらに、後カバー２８６は、レンズユニット収容部２３０の上およびオプションで鏡筒２１４の一部の上に延在するように構成された鏡筒カバー２９０を含むことができる。図１５および図１６に示すように、鏡筒２１４のさらなる部分は、レンズ２１６がその上に露出されるように、鏡筒カバー２９０から外方に延在することができる。後カバー２８６は、後ハウジング２２４内のフランジ２５３と前ハウジング２２８との間に形成された間隙の間に延在することができるフランジ２８８を含むことができる。このようにして、後カバー２８６は、圧入構造によって後ハウジング２２４と組み立てることができる。追加的または代替的に、接着剤、ネジ、または相互に係合可能なスナップまたは圧入機構を用いて、後カバー２８６を後ハウジング２２４に結合することができる。別の構成では、後ハウジング２２４は、後カバー２８６を使用せずＰＣＢ２２０を内部に包囲するように、図１２に関して上述したフランジ１５３と同様の形態のフランジ２５３内に、段を含むことができる。このようにして、前ハウジング２２８の後ハウジング２２４への嵌合は、図１２に関して上記で説明した、前ハウジング１２８および後ハウジング１２４およびそれに関連する部分の嵌合と同様であり得る。
【００５９】
図１４〜図１７にさらに示すように、一対の対向する位置にあるスナップタブ２９２が、後ハウジング２２４から概して外側および後方に延在することができる。さらに、前ハウジング２２８が、対向する側に位置するバネフランジ２９４を含むことができ、当該バネフランジ２９４もまた、そこから概して外側および後方に延在している。図示された構成では、スナップタブ２９２は、バネフランジ２９４の開口部２９６を通って延在することができ、バネフランジ２９４がスナップタブ２９２を越えて外側に、さらにスナップタブ２９２よりも大きな鉛直距離を通って延在することができる。図１８に示すように、スナップタブ２９２およびバネフランジ２９４を使用して、カメラアセンブリ２１０を、図９および図１３に関して上述したようなブラケット１３３のバリエーションであるブラケット２３３に結合することができる。具体的には、ブラケット２３３は、図９および図１３に関して上述したブラケット１３３と車両２３６の後方風防ガラス１３９との結合と同様の形態で、車両の後方風防ガラスと結合することができる実装面２６４を含むことができる。さらに同様に、ブラケット２３３は、内部に、そしてレンズ２１６の視野が収容されるように面２６４に関連する開口部２６８に対して、適切に位置決めされるレンズ２１６と共に、カメラアセンブリ２１０の一部を内部に収容するためのキャビティ２６６を含むことができる。
【００６０】
図１８に示すように、ブラケット２３３は、カメラアセンブリ２１０をその外周辺部２７４の周りで収容するようにサイズ決めされた受容部２７２をさらに含むことができ、これは、図１８に示すように、ブラケット２３３内のレンズ２１６の整列に寄与することができ、カメラアセンブリ２１０の外周辺部２７４は、第１の段付き領域２５４が受容部２７２の外側のブラケット２３３の部分に沿って外側に延在するように、後カバー２８６の第２の段付き領域２５６の周りに画定されてもよい。特に、そのような領域は、受容部２７２に隣接する２次受容部２８２内に画定されてもよい。後カバー２８６のないカメラアセンブリ２１０の実施形態では、受容部２７２は、図１３に関して上述したように、受容部１７２と同様のサイズ決めすることができる。
【００６１】
さらに、ブラケット２３３は、その中にスナップタブ２９２を収容するために、受容部２７２の対向側に、かつオプションとして２次受容部２８２内に、離間されたタブスロット２８０を含むことができる。したがって、タブスロット２８０は、カメラアセンブリ２１０がブラケット２３２と組み立てられている間にスナップタブ２９２が内向きに押し込まれ、カメラアセンブリ２１０が受容部２７２内に適切に配置されたときに外向きに戻るように、位置することができる。一例では、タブスロット２８０は、カメラアセンブリ２１０がブラケット２３３と組み立てられたときに、スナップタブ２９２がわずかに内向きの圧縮下にとどまるように構成することができる。このような構成は、温度の変化によるブラケット２３３の膨張および収縮によるタブスロット２８０の相対的な位置決めのサイズのバリエーションを補償するのに役立つ。
【００６２】
カメラアセンブリ２１０がブラケット２３３と組み立てられると、バネフランジ２９４は、スナップタブ２９２のアンダーカット２９８に対向する側のタブスロット２８０の外側の領域でブラケット２３３に沿って延在することができ、ブラケット２３３の一部がその間に捕捉される。このようにして、その組立中にそのたわみが達成されて、ブラケット２３３に対するカメラアセンブリ２１０の振動を低減するのを助けるためにブラケット２３３とカメラアセンブリ２１０との全体的にしっかりとしたスナップ嵌合を提供するように、そしてブラケット２３３の温度サイクルによるバネフランジ２９４とアンダーカット２９８との間の領域におけるブラケット２３３の厚さの変動をバネフランジ２９４が吸収することを可能にするように、バネフランジ２９４を配置することができる。このようにして、カメラアセンブリ２１０は、図７またはその他のバリエーションのシステム２と同様のシステムで使用することができる。
【００６３】
カメラアセンブリ２１０のバリエーションでは、第１の段付き領域２４２および第２の段付き領域２４４ならびにレンズユニット収容部２３０を含む前ハウジング２２４の一部を、射出成形プラスチックなどで作ることができる。このような例では、バネフランジ２９４は、図１４〜図１７に関して上述したように、ステンレス鋼などの金属で作ることができ、前ハウジング２２８の残りの部分に取り付けることができる。このような例では、バネフランジ２９４を、オーバーモールディング、スプリングフランジ２９４の対応する穴と係合する前ハウジング２２８のプラスチック部分内に含まれる溶融可能なタブの使用、または機械的な留め具または接着剤によって、前ハウジング２２８の他の隣接する部分と結合することができる。
【００６４】
図１９〜図２４に示す別の実施形態では、カメラアセンブリ３１０は、光センサアセンブリ３１８内に光センサ３２２を含むＰＣＢ３２０を包囲して支持する、後ハウジング３２４および前ハウジング３２８を含むことができる。図１〜図１８の様々な実施形態に関して上述したように、前ハウジング３２８は、光センサ３２２上に画像を集束させるためのレンズユニット３１２をその中に収容することができるレンズホルダ３３０を含むことができる。ＰＣＢ３２０は、光センサ３２２によって収集された画像データを含む信号を、コネクタ３３２を介して送信することができ、コネクタ３３２は、例えば上述したアダプタ１３４および２３４と同様のアダプタと直接接続するために、後ハウジング３２４のコネクタ開口部３４１を通って延在してもよいが、後ハウジング３２４から突出する収容部または他の機構なしに直接コネクタ３３２と結合するように構成されてもよい。コネクタ３４０は、ビデオディスプレイ装置と電気的に通信するときに、カメラ信号の完全性を向上させるために、組み立てられたとき後ハウジング３２４と接触する導電性フィンガ３４３を含む。
【００６５】
図１９〜図２４に示すカメラアセンブリのバリエーションでは、前ハウジング３２４は、その外周辺部全体を画定する外側フランジ３５３を含む。図２４の断面図に示すように、フランジ３５３によって画定された周辺部は、フランジ３５３が後ハウジング３２４の一部を囲むように、フランジ３５３内に後ハウジング３２４を収容するのに十分な大きさである。この構成では、外側フランジ３２６は、本明細書で説明した他の実施形態のように、後ハウジング３２４ではなく、前ハウジング３２８と一体であり、その外方に延在する。
【００６６】
前ハウジング３２８は、その様々な位置に沿って複数の第１の段付き部分３４２を画定し、そのような部分３４２は、第２の段付き部分３４４によって分離され、部分的に取り囲まれ、レンズユニット収容部３３０は、第２の段付き部分内に含まれる。図２３の展開図から分かるように、複数の対応するネジ穴３５８が、第１の段付き部分内の前ハウジング３２８を貫通している。これらのネジ穴３５８は、後ハウジング３２４と前ハウジング３２８を共に結合するためにネジ３５９を使用できるように、後ハウジング３２４の貫通孔３６０と整列している。貫通穴３６０は、前ハウジング３２８の第１の段付き部分３４２と整列する対応するボス３６３内で後ハウジング３２４に沿って位置決めされる。ＰＣＢ３２０はまた、貫通穴３６０およびネジ穴３５８と整列する一組の貫通穴３６２を含み、ネジ３５９が、組み立てられた後ハウジング３２４および前ハウジング３２８内にＰＣＢ３２０を全体的に固定するように、後ハウジング３２４を前ハウジング３２８に結合するときに穴３６０を貫通して延在する。このようにして、ＰＣＢ３２０は、第１の段付き領域３４２と対応するボス３６３とのそれぞれの対の間に捕捉されて、組み立てられた後ハウジング３２４および前ハウジング３２８内のＰＣＢ３２０の前後方向の位置決めを維持する。
【００６７】
図２４にさらに示すように、フランジ３５３と後ハウジング３２４の重なり合う性質は、例えば、ＰＣＢ３２０の厚さのばらつきや後ハウジング３２４および前ハウジング３２８の様々な機構（例えば、第１の段付き部分３４２およびボス３６３）の許容差のスタックアップの影響を受ける、光センサアセンブリ３１８の全体的な厚さの変動を補償することができる。このようにして、そのようなバリエーションは、そのような機構の構造のバリエーションの範囲にわたって、フランジ３５３と後ハウジング３２４との間の少なくともいくつかの重なりを可能にすることによって考慮され得る。このように、後ハウジング３２４と前ハウジング３２８とは、一緒に結合されると互いに接触せず、ＰＣＢ３２０はこのような機構から離間し、ＰＣＢ３２０の外周辺部が前ハウジング３２８と後ハウジング３２４にぴったり接触して、アセンブリ３１８を効果的に閉塞する。一実施形態では、Ｏリング、接着剤、ドープ、コーキングなどを含む様々な材料を、後ハウジング３２４、ＰＣＢ３２０、および前ハウジング３２８の間の境界面の周りに、塗布または他の方法で組み立てることができ、水分、埃などのような様々な汚染物質からアセンブリ３１８の内部を少なくとも部分的にシールし、他の界面は所望の程度まで同様にシールされる。
【００６８】
図１９〜図２４にさらに示されるように、前ハウジング３２８は、外側フランジ３２６内および／またはフランジ３５３内に配置され得るロケータ開口部３８４および／またはコネクタ開口部３７６などの複数の取り付け機構を含むことができる。これらの取り付け機構を、ブラケット１３３および２３３と同様の形態でアセンブリ３１０を収容して保持するように構成され得る、上述したブラケット１３３および２３３の１つ以上のバリエーションに含まれる様々なクリップ、ネジ、ペグなどに関連して、使用することができる。このようにして、カメラアセンブリ３１０は、図７またはその他のバリエーションのシステム２と同様のシステムで使用することができる。
【００６９】
本開示の様々な実施形態は、後方視認アセンブリと動作可能に結合されてもよく、それは、米国特許第８，２０１，８００号および動第８，２１０，６９５号、米国特許出願公開第２０１４／００６３６３０号、同第２０１２／０３２７２３４号、同第２０１３／００６２４９７号、そして同第２０１２／０２１８６５５号、および米国仮特許出願第６１／７０９，７１６号、同第６１／７０７，６７６号および同第６１／７０４，８６９号に記載されているようなものであり、これら文献の開示内容はその全体が当該参照により本明細書に組み込まれる。さらに、本開示は、米国特許第８，２６４，７６１号、同第８，６４６，９２４号および同第８，６４３，９３１号、米国特許出願公開第２０１３／０１９４６５０号および同第２０１２／０２１８６５５号、および、米国仮特許出願第６１／７０７，６２５号、および同第６１／５９０，２５９号に記載されるような後方視認パッケージングアセンブリと共に使用され得て、これら文献の開示内容もその全体が当該参照により本明細書に組み込まれる。
【００７０】
いずれの説明されたプロセスまたは説明されたプロセス内のステップも、その他の開示されたプロセスまたはステップと組み合わされ、本装置の範囲内で構造を形成し得ることが理解されるであろう。本明細書に開示された例示的な構造およびプロセスは、説明のためのものであり、制限として解釈してはならない。
【００７１】
変形および修正が、本装置の概念から逸脱することなく、前述の構造および方法においてなされ得ることも理解されるべきであり、さらに、このような概念は、特許請求の範囲がそれらの言葉で別段に明確に述べられていない限り、以下の特許請求の範囲に含まれるものとされることが理解されるべきである。
【００７２】
上記の説明は、図示された実施形態のみの説明とみなされる。当業者、および装置を作製または使用する者であれば、装置の修正を想起するであろう。したがって、図面に示され、上に説明された実施形態は、単に例示する目的のものであり、均等論を含む特許法の原則に従って解釈される以下の特許請求の範囲によって定義される、装置の範囲を限定するものではないことが理解される。
【図１】
0006588984.tif 000002
【図２】
0006588984.tif 000003
【図３】
0006588984.tif 000004
【図４】
0006588984.tif 000005
【図５】
0006588984.tif 000006
【図６】
0006588984.tif 000007
【図７】
0006588984.tif 000008
【図８】
0006588984.tif 000009
【図９】
0006588984.tif 000010
【図１０】
0006588984.tif 000011
【図１１】
0006588984.tif 000012
【図１２】
0006588984.tif 000013
【図１３】
0006588984.tif 000014
【図１４】
0006588984.tif 000015
【図１５】
0006588984.tif 000016
【図１６】
0006588984.tif 000017
【図１７】
0006588984.tif 000018
【図１８】
0006588984.tif 000019
【図１９】
0006588984.tif 000020
【図２０】
0006588984.tif 000021
【図２１】
0006588984.tif 000022
【図２２】
0006588984.tif 000023
【図２３】
0006588984.tif 000024
【図２４】
0006588984.tif 000025